(57)【要約】【課題】例えば複数のアンプル１及び２の各々の内容液を同時に使用するタイプのアンプルセットにおいて、アンプル１及び２の取り出し忘れの恐れが無く且つ構造が簡素なアンプルセットを提供する。【解決手段】胴体部１ａ及び２ａ、枝部１ｂ及び２ｂ、及びカット部１ｃ及び２ｃを有する複数のアンプル１及び２の各々の胴体部１ａ及び２ａの少なくとも一部の領域が熱収縮チューブ３で被覆されることによって、複数のアンプル１及び２が一体的に固定されているアンプルセット。【選択図】図１
2019187691.tif 000002
【特許請求の範囲】
【請求項１】
胴体部、枝部及びカット部を有する複数のアンプルの各々の胴体部の少なくとも一部の領域が熱収縮チューブで被覆されることによって、複数のアンプルが一体的に固定されているアンプルセット。
【請求項２】
複数のアンプルの各々の胴体部の上側に位置する肩部の少なくとも一部の領域も熱収縮チューブで被覆されている請求項１に記載のアンプルセット。
【請求項３】
複数のアンプルの各々の底部の少なくとも一部の領域も熱収縮チューブで被覆されている請求項１又は２に記載のアンプルセット。
【請求項４】
熱収縮チューブの長さＬ１とアンプルの胴体部の長さＬとの比（Ｌ１／Ｌ）が０.７〜１.２である請求項１〜３の何れかに記載のアンプルセット。
【請求項５】
アンプルの内容液を排出する際も、複数のアンプルが熱収縮チューブによって一体的に固定されている請求項１〜４の何れかに記載のアンプルセット。
【請求項６】
複数のアンプルの各々の内容液は、アンプルから排出した後に同時に使用されるものである請求項１〜５の何れかに記載のアンプルセット。
【請求項７】
複数のアンプルの各々の内容液は、アンプルから排出した後に混合して使用されるものである請求項６に記載のアンプルセット。
【請求項８】
硬組織補修用のモノマーと重合開始剤のアンプルセットである請求項１〜７の何れかに記載のアンプルセット。
【発明の詳細な説明】
【技術分野】
【０００１】
本発明は、同時に使用する複数のアンプルを一体化したアンプルセットに関する。
【背景技術】
【０００２】
従来、複数のアンプルを収納保持するための器具として、アンプルホルダー（アンプル保持器）が使用されている。
【０００３】
例えば、特許文献１には、台紙を折り曲げてアンプル本体受部とアンプル首受部とを形成し、そこにアンプルを保持することによって複数本のアンプルを取りまとめるアンプルホルダーが開示されている。そして、アンプルを簡単に出し入れできるので、取扱性に優れることが説明されている。
【０００４】
特許文献２には、アンプルを保持する保持部を有し、アンプルを保持したときにアンプルのワンポイントカットマークを超えない高さの背もたれ板、アンプルを載置可能な底板、及び、背もたれ板背面において突設された支え板を有するアンプル保持器が開示されている。そして、アンプルが安定して保持されるので転倒せず、複数のアンプルを同時に保持し、保持した状態でアンプルカットを行うことができることが説明されている。
【０００５】
以上のアンプルホルダー（アンプル保持器）を使用すれば複数のアンプルを保持できるので、アンプルセットとしても利用できる。しかし、アンプルの内容液を排出する際は、アンプルホルダー（アンプル保持器）からアンプルを１本ずつ取り出して排出する必要がある。
【先行技術文献】
【特許文献】
【０００６】
【特許文献１】特開平１１−０２９１７０号公報
【特許文献２】特開２００３−３０５１０６号公報
【発明の概要】
【発明が解決しようとする課題】
【０００７】
アンプルセットには、複数のアンプルの各々の内容液を同時に使用するタイプ（例えばそれら内容液を混合して使用するタイプ）のセットがある。そして本発明者らは、先に説明した従来のアンプルホルダー（アンプル保持器）では、アンプルを１本ずつ取り出して内容液を排出するので、必要なアンプルのうちの一つを取り出すことを忘れてしまう恐れがある点に着目した。特に医療分野においては、複数の内容液のうちの一つを混合し忘れると期待される効能や効果が得られないばかりか人体に悪影響を与えることもあるので、アンプルの取り出し忘れは重大な問題となる可能性が非常に高い。
【０００８】
また、先に説明した従来のアンプルホルダー（アンプル保持器）は構造が比較的複雑なので、その構造には簡素化の余地がある。
【０００９】
本発明は、以上の課題を解決する為になされたものである。すなわち本発明の目的は、例えば複数のアンプルの各々の内容液を同時に使用するタイプのアンプルセットにおいて、アンプルの取り出し忘れの恐れが無く且つ構造が簡素なアンプルセットを提供することにある。
【課題を解決するための手段】
【００１０】
本発明者らは上記目的を達成すべく鋭意検討した結果、複数のアンプルの胴体部の少なくとも一部を熱収縮チューブで被覆し一体化することが非常に有効であることを見出し、本発明を完成するに至った。すなわち本発明は、以下の事項により特定される。
【００１１】
［１］胴体部、枝部及びカット部を有する複数のアンプルの各々の胴体部の少なくとも一部の領域が熱収縮チューブで被覆されることによって、複数のアンプルが一体的に固定されているアンプルセット。
【００１２】
［２］複数のアンプルの各々の胴体部の上側に位置する肩部の少なくとも一部の領域も熱収縮チューブで被覆されている［１］に記載のアンプルセット。
【００１３】
［３］複数のアンプルの各々の底部の少なくとも一部の領域も熱収縮チューブで被覆されている［１］又は［２］に記載のアンプルセット。
【００１４】
［４］熱収縮チューブの長さＬ１とアンプルの胴体部の長さＬとの比（Ｌ１／Ｌ）が０.７〜１.２である［１］〜［３］の何れかに記載のアンプルセット。
【００１５】
［５］アンプルの内容液を排出する際も、複数のアンプルが熱収縮チューブによって一体的に固定されている［１］〜［４］の何れかに記載のアンプルセット。
【００１６】
［６］複数のアンプルの各々の内容液は、アンプルから排出した後に同時に使用されるものである［１］〜［５］の何れかに記載のアンプルセット。
【００１７】
［７］複数のアンプルの各々の内容液は、アンプルから排出した後に混合して使用されるものである［６］に記載のアンプルセット。
【００１８】
［８］硬組織補修用のモノマーと重合開始剤のアンプルセットである［１］〜［７］の何れかに記載のアンプルセット。
【発明の効果】
【００１９】
本発明によれば、複数のアンプルが一体的に固定されているので、例えば複数のアンプルの各々の内容液を同時に使用する場合であっても、アンプルの取り出し忘れの恐れが無い。また、熱収縮チューブによって複数のアンプルが一体的に固定されているので、構造が簡素である。
【図面の簡単な説明】
【００２０】
【図１】本発明のアンプルセットの一実施形態を示す斜視図である。
【図２】本発明において熱収縮チューブにより被覆される領域の各例を示す模式図である。
【図３】本発明において熱収縮チューブの長さとアンプルの胴体部の長さの関係を説明する為の模式図である。
【図４】本発明に用いる熱収縮チューブの一例を示す模式図である。
【発明を実施するための形態】
【００２１】
図１は、本発明のアンプルセットの一実施形態を示す斜視図である。図１に示すように本発明のアンプルセットにおいては、複数のアンプル１及び２が熱収縮チューブ３によって一体的に固定されている。複数のアンプル１及び２は、各々、胴体部１ａ及び２ａ、枝部１ｂ及び２ｂ、カット部１ｃ及び２ｃを有する。胴体部１ａ及び２ａはアンプル１及び２の本体であり、主として内容液を内蔵する為の部分である。カット部１ｃ及び２ｃは、内容液を排出する際にカットする部分である。枝部１ｂ及び２ｂは、カット部１ｃ及び２ｃをカットした際に除去される部分である。枝部１ｂ及び２ｂの上端は、内部を密封するために熔封されている。
【００２２】
図１においては、二本のアンプル１及び２の胴体部１ａ及び２ａの全体の領域が熱収縮チューブ３で被覆されることによって、アンプル１及び２が一体的に固定されている。また、胴体部１ａ及び２ａの上側に位置する肩部１ｄ及び２ｄの一部の領域も、熱収縮チューブ３の上側端部によって被覆され、底部１ｅ及び２ｅの一部の領域も熱収縮チューブ３の下側端部によって被覆されている。一方、枝部１ｂ及び２ｂの領域とカット部１ｃ及び２ｃの領域は、熱収縮チューブ３で被覆されていない。また、アンプル１及び２の底部１ｅ及び２ｅの中央付近の領域も熱収縮チューブで被覆されていない。
【００２３】
このようなアンプルセットを使用する際は、例えば、二本のアンプル１及び２のカット部１ｃ及び２ｃを順番にカットした後、内容液を同時に排出する、この排出の際もアンプル１及び２は一体的に固定されているので、片方のアンプルを取り出し忘れる恐れは無い。同時に排出した二種の内容液は、例えば混合して使用される。
【００２４】
図１においては、二本のアンプル１及び２が一体的に固定されているが、本発明はこれに限定されない。例えば、三本のアンプルが一体的に固定されていても良いし、四本以上のアンプルが一体的に固定されていても良い。また、複数のアンプルは全て同じサイズであっても良いし、互いに異なるサイズであっても良い。例えば、図１に示すアンプルセットにおいては、二本のアンプル１及び２の胴体部１ａ及び２ａの長さ（垂直方向の高さ）が同じであるが、本発明はこれに限定されない。例えば、胴体部１ａ及び２ａの高さが異なる場合であっても、両者の少なくとも一部の領域が同一の熱収縮チューブで被覆することによって一体的に固定することが可能であれば良い。ただし、アンプルの胴体部の長さ（垂直方向の高さ）は、アンプルの枝部をカットする際の手技的操作を容易にする点から、ほぼ同じであることが好ましい。
【００２５】
図１においては、胴体部１ａ及び２ａの全体の領域、肩部１ｄ及び２ｄの一部の領域、並びに、底部１ｅ及び２ｅの一部の領域が熱収縮チューブ３によって被覆されている。このような実施形態は、固定力の安定性の点で好ましい。ただし、本発明はこの実施形態に限定されない。例えば、以下に説明する図２（Ａ）〜（Ｅ）に示すような様々な実施形態が可能である。
【００２６】
図２（Ａ）〜（Ｅ）は、本発明において熱収縮チューブにより被覆される領域の各例を示す模式図である。図２（Ａ）〜（Ｅ）においては、熱収縮チューブの位置やサイズを分かり易くするために、収縮前の熱収縮チューブの状態を示す。実際には、この熱収縮チューブを収縮させると、熱収縮チューブは胴体部、底部、肩部等の部分の一部又は全部に密着した状態になる。
【００２７】
特に図２（Ａ）〜（Ｃ）は、二本のアンプル１及び２の胴体部１ａ及び２ａの一部の領域が熱収縮チューブ３で被覆されている各例を示す模式図である。具体的に、図２（Ａ）においては、胴体部１ａ及び２ａの下側を除く領域と肩部１ｄ及び２ｄの一部の領域が熱収縮チューブ３で被覆されている。図２（Ｂ）においては、胴体部１ａ及び２ａの下側及び上側を除く領域（すなわち中間部の領域）が熱収縮チューブ３で被覆されている。図２（Ｃ）においては、胴体部１ａ及び２ａの上側を除く領域が熱収縮チューブ３で被覆されている。そして、これらに熱を印加すれば熱収縮チューブ３が収縮して気密に密着し、アンプル１及び２が一体的に強く固定される。
【００２８】
また図２（Ｄ）、（Ｅ）は、熱収縮チューブ３の下端が二本のアンプル１及び２の底面よりもさらに下方に延びている各例を示す模式図である。具体的に、図２（Ｄ）においては、胴体部１ａ及び２ａの全体の領域が熱収縮チューブ３で被覆され、且つ熱収縮チューブ３の下端が二本のアンプル１及び２の底面よりもさらに下方に延びている。図２（Ｅ）においては、胴体部１ａ及び２ａの全体の領域と肩部１ｄ及び１ｄの一部の領域が熱収縮チューブ３で被覆され、且つ熱収縮チューブ３の下端が二本のアンプル１及び２の底面よりもさらに下方に延びている。そして、これらに熱を印加すれば熱収縮チューブ３が収縮して密着し、アンプル１及び２が一体的に強く固定される。なお、熱収縮チューブ３の下方に延びている部分は、熱収縮により底部１ｅ及び２ｅに密着する。
【００２９】
図３は、本発明において熱収縮チューブの長さとアンプルの胴体部の長さの関係を説明する為の模式図である。図３に示すように、例えば、二本のアンプル１及び２の胴体部１ａ及び２ａの長さをＬ、熱収縮チューブ３の収縮後の長さをＬ１とする。
【００３０】
熱収縮チューブ３の収縮後の長さＬ１とアンプル１及び２の胴体部１ａ及び２ａの長さＬの比（Ｌ１／Ｌ）は、好ましくは０.７〜１.２である。また、二本のアンプル１及び２の底部１ｅ及び２ｅの領域を熱収縮チューブ３で被覆しない場合、熱収縮チューブ３の長さＬ１とアンプル１及び２の胴体部１ａ及び２ａの長さＬの比（Ｌ１／Ｌ）は、アンプルの固定性の向上、複数のアンプルの枝部をカットする際の手技的操作性の向上の観点から、好ましくは０.７〜１.１、より好ましくは０.８〜１.１、特に好ましくは１.０１〜１.１である。
【００３１】
二本のアンプル１及び２の底部１ｅ及び２ｅの少なくとも一部の領域を熱収縮チューブ３で被覆する場合、アンプルの固定性の向上、複数のアンプルの枝部をカットする際の手技的操作性の向上の観点から、熱収縮チューブ３の長さＬ１とアンプル１及び２の胴体部１ａ及び２ａの長さＬの比（Ｌ１／Ｌ）は、好ましくは０.７２〜１.２、より好ましくは０.８〜１.２、特に好ましくは１.０５〜１.２である。
【００３２】
熱収縮チューブの収縮率は、一体的に固定するアンプルの本数及び／又はサイズに応じて適宜決定すれば良いが、アンプルの長さ方向では、熱の印加前に対して４０％以下が好ましく、３０％以下がより好ましく、５〜２５％が特に好ましい。折径方向（アンプルの胴径方向）では、１５〜６５％が好ましく、２５〜６５％がより好ましく、３５〜６０％が特に好ましい。
【００３３】
このような熱収縮性を有するチューブとしては、樹脂製チューブが好ましい。樹脂製チューブの具体例としては、ポリオレフィンチューブ、フッ素樹脂チューブ、フッ化エラストマーチューブ、耐熱エラストマーチューブ、ポリエチレンチューブ、ポリエチレンテレフタレートチューブ、ポリスチレンチューブ、ナイロンチューブ、合成ゴムチューブ、二軸延伸ポリプロピレンチューブ、ポリ塩化ビニルチューブ及びこれらの２つ以上を積層したチューブが挙げられる。熱収縮チューブの厚さは特に限定されないが、通常は１０〜５００μｍ、好ましくは４０〜３５０μｍ、より好ましくは７０〜２５０μｍである。
【００３４】
図４は、本発明に用いる熱収縮チューブの一例を示す模式図である。例えば、アンプルの底部の少なくとも一部の領域を熱収縮チューブで被覆する場合は、図４に示すように、熱収縮チューブ３の下側端部（アンプルの底部を被覆する為の部分）が変形カットされていることが好ましい。このように熱収縮チューブ３の下側端部に傾斜状カット部３ａを部分的に設けておくと、仕上がりの美観が向上する。
【００３５】
本発明のアンプルセットにおいて、各アンプルの内容液の種類は特に限定されないが、特に、同時に使用される複数種類の内容液が複数のアンプルの各々に封入されていることが好ましい。同時に使用される内容液の具体例としては、反応性化合物と反応開始剤が挙げられ、より具体的にはモノマーと重合開始剤が挙げられる。中でも、医療用材料としての反応性化合物と反応開始剤が好ましく、硬組織補修用のモノマーと重合開始剤が特に好ましい。
【００３６】
硬組織補修用のモノマーと重合開始剤は、硬組織補修用組成物の一成分である。硬組織補修用組成物は、一般的にモノマー、重合体粉末、重合開始剤、造影剤及びその他必要に応じて含まれる成分を混合して調製される。その組成物は患部に適用することにより使用できる。硬組織補修用組成物の成分は、例えば、単独であるいは任意の組合せで分割して３つ以上の部材に収納した硬組織補修用キットとして保存し、使用前に混合して硬組織補修用組成物とすることができる。液体成分であるモノマーと重合開始剤は、本発明のアンプルセットによって一体化して保管し、使用することが好ましい。なお、「硬組織補修用組成物」とは、硬組織同士の接着、硬組織内への充填、硬組織とチタン、セラミックス、ステンレス等の人工物との接着及び／又は密着、硬組織と軟組織等の他の組織との接着及び／又は密着に用いられるものである。よって、歯と充填物との接着（即ち、歯科用途）は含まない。
【産業上の利用可能性】
【００３７】
本発明のアンプルセットは、アンプルの取り出し忘れの可能性が無く且つ構造が簡素なので、例えば同時に使用される複数種類の内容液のアンプルセットとして有用であり、特に硬組織補修用のモノマーと重合開始剤のアンプルセットとして非常に有用である。
【符号の説明】
【００３８】
１、２  アンプル
１ａ、２ａ  胴体部
１ｂ、２ｂ  枝部
１ｃ、２ｃ  カット部
１ｄ、２ｄ  肩部
１ｅ、２ｅ  底部
３  熱収縮チューブ
３ａ  傾斜状カット部
【図１】
2019187691.tif 000003
【図２】
2019187691.tif 000004
【図３】
2019187691.tif 000005
【図４】
2019187691.tif 000006